(57)【要約】      （修正有）【課題】見映えの悪さや髪の毛や衣服の繊維が絡まりやすいという重大な問題点をクリアでき、しかもスプリングの力を強くして装飾体のチェーン等の他端もしくは任意の物品の連結環の係合を確実に行なえる装身具用連結具を提供する。【解決手段】開口部を設けたループ状本体１１と、前記開口部を開閉可能とした首振り自在の閉止レバーとを備え、前記閉止レバー１３は、ループ状本体の前記開口部の一端にループ状本体の内周側に向けて回転軸を介して首振り自在に軸着され、その先端は前記開口部の他端に当接してループ状本体を閉じるようにする。また前記閉止レバーは、前記回転軸に取り付けたスプリング１６によりループ状本体を閉じる方向に付勢させ、かつ前記ループ状本体および閉止レバーの内周側の前記スプリングは、ループ状本体および閉止レバーの内周側に形成した凹溝内に埋没するよう収納させて、装身具用連結具を構成する。【選択図】図３
0003157759.tif 000002
【実用新案登録請求の範囲】
【請求項１】
開口部を設けたループ状本体と、前記開口部を開閉可能とした首振り自在の閉止レバーとを備え、
前記閉止レバーは、ループ状本体の前記開口部の一端にループ状本体の内周側に向けて回転軸を介して首振り自在に軸着され、その先端は前記開口部の他端に当接してループ状本体を閉じるようになっており、
また前記閉止レバーは、前記回転軸に取り付けたスプリングによりループ状本体を閉じる方向に付勢されており、
かつ前記ループ状本体および閉止レバーの内周側の前記スプリングは、ループ状本体および閉止レバーの内周側に形成した凹溝内に埋没するよう収納されていることを特徴とする装身具用連結具。
【請求項２】
前記閉止レバーは、ループ状本体の前記開口部をループ状本体の長辺内に形成することにより、ループ状本体の前記開口部をループ状本体の長辺内に位置するようにしたことを特徴とする請求項１記載の装身具用連結具。
【請求項３】
前記スプリングは、ループ状本体または閉止レバーのコ字状の軸受部にはめ込んだ閉止レバーまたはループ状本体の板状断面の回動部と並べて回転軸に取り付けることにより、その径を大きくすることができるようにしたことを特徴とする請求項１記載の装身具用連結具。
【請求項４】
前記装身具用連結具が、左右のチェーン類の間に連結環を介して連結され、かつ連結環を介して装飾体をも連結可能としていることを特徴とする請求項１記載の装身具用連結具。
【請求項５】
前記凹溝が、ループ状本体および閉止レバーを鋳造する際に形成されていることを特徴とする請求項１記載の装身具用連結具。
【考案の詳細な説明】
【技術分野】
【０００１】
この考案は、チェーンや紐などの紐帯の連結具に関し、より詳しくはネックレスやブレスレットあるいはキーホルダなどに用いられる装身具用連結具に関する。
【背景技術】
【０００２】
従来、この種の連結具においては、例えば実開平６−４１５２３号公報（特許文献１参照）に示すように、湾曲状に形成した掛着部を備えたフックの基部を本体に回動自在に支軸で軸着し、本体の湾曲状の掛着部の先端を本体の他側端縁の爪部に係合離反自在に設け、掛着部の先端を爪部に常時係合するようにフックをスプリングを介して付勢するようにしたものがある。
そして、本体を挟持し、フックの掛着部をスプリングの付勢方向と反対方向へを回動させ、掛着部の先端を爪部から離反する。そうすればこの掛着部の先端から装飾体のチェーン等の他端もしくは任意の物品の連結環をはめ込むことができ、このチェーン等の他端もしくは連結環を、フックの中心と反対方向に引っ張りながら掛着部の先端へ移動させると簡単に外すことができる。
【先行技術文献】
【特許文献】
【０００３】
【特許文献１】実開平６−４１５２３号公報
【考案の概要】
【考案が解決しようとする課題】
【０００４】
しかしながら、実開平６−４１５２３号公報（特許文献１参照）その他の先行技術においては、内周側に前記スプリングが露出しているという問題点があった。
すなわち、装身具に使用するものとして見映えが悪いという決定的な不利益のみならず、髪の毛や衣服の繊維が絡まりやすいというクレームが多々寄せられている。
【０００５】
さらに前記軸着部分が、本体とフックの基部がいずれもコ字状断面をなしていて、その中間にはめ込まれるようにして回転軸にスプリングが取り付けられているため、スプリングの径を大きくすることができず、スプリングの力が弱いために掛着部の先端を爪部に係合する力に不安があるという問題点があった。
【０００６】
この考案は以上の問題点を解決するために開発されたもので、見映えの悪さが解消できることはもちろん、髪の毛や衣服の繊維が絡まりやすいという重大な問題点をクリアすることができ、しかもスプリングの力を強くして装飾体のチェーン等の他端もしくは任意の物品の連結環の係合を確実に行なうことができる装身具用連結具を提供することを目的とする。
【課題を解決するための手段】
【０００７】
上記目的を達成するためにこの考案の装身具用連結具は、開口部を設けたループ状本体と、前記開口部を開閉可能とした首振り自在の閉止レバーとを備え、
前記閉止レバーは、ループ状本体の前記開口部の一端にループ状本体の内周側に向けて回転軸を介して首振り自在に軸着され、その先端は前記開口部の他端に当接してループ状本体を閉じるようになっており、
また前記閉止レバーは、前記回転軸に取り付けたスプリングによりループ状本体を閉じる方向に付勢されており、
かつ前記ループ状本体および閉止レバーの内周側の前記スプリングは、ループ状本体および閉止レバーの内周側に形成した凹溝内に埋没するよう収納されていることを特徴とするものである。
【０００８】
この考案の装身具用連結具は、前記閉止レバーが、ループ状本体の前記開口部をループ状本体の長辺内に形成することにより、ループ状本体の前記開口部をループ状本体の長辺内に位置するようにしたことをも特徴とするものである。
【０００９】
この考案の装身具用連結具は、前記スプリングが、ループ状本体または閉止レバーのコ字状の軸受部にはめ込んだ閉止レバーまたはループ状本体の板状断面の回動部と並べて回転軸に取り付けることにより、その径を大きくすることができるようにしたことをも特徴とするものである。
【００１０】
この考案の装身具用連結具は、前記装身具用連結具が、左右のチェーン類の間に連結環を介して連結され、かつ連結環を介して装飾体をも連結可能としていることをも特徴とするものである。
【００１１】
この考案の装身具用連結具は、前記凹溝が、ループ状本体および閉止レバーを鋳造する際に形成されていることをも特徴とするものである。
【考案の効果】
【００１２】
この考案は、以上説明したように構成されているので、以下に記載されるような効果を奏する。
前記ループ状本体および閉止レバーの内周側の前記スプリングの露出を、ループ状本体および閉止レバーの内周側に凹溝を形成して解消したので、装身具に使用するものとして見映えが悪いという決定的な不利益を無くすことができた。もちろん、髪の毛や衣服の繊維が絡まりやすいという重大な問題点をもクリアすることができ、種々の装飾体を連結する際にもスプリングの存在が支障を来たすことがない。
【００１３】
さらに前記軸着部分が、前記スプリングをループ状本体または閉止レバーのコ字状の軸受部にはめ込んだ閉止レバーまたはループ状本体の板状断面の回動部と並べて回転軸に取り付けることにより、その径を大きくすることができるようにしたので、閉止レバーの先端がループ状本体の開口部の端部に係合する力を大きくすることができ、強度の高い安定した連結を確保することができるようになった。
【図面の簡単な説明】
【００１４】
【図１】この考案の連結具の１実施例を示す側面図である。
【図２】閉止レバーをループ状本体にはめ込む操作を示す側面図である。
【図３】ループ状本体のスプリングの取り付け状態を示す透視側面図である。
【図４】ループ状本体のスプリングの取り付け状態を内周側から見た説明図である。
【図５】この考案の装身具用連結具の使用形態を説明するための概略図である。
【考案を実施するための形態】
【００１５】
以下この考案の装身具用連結具の１実施例について図面を参照して説明する。
図１ないし図４において、１１は開口部１２を設けたループ状本体で、前記開口部１２を開閉可能とした首振り自在の閉止レバー１３が取り付けられている。該閉止レバー１３は、ループ状本体１１の前記開口部１２の一端にループ状本体１１の内周側に向けて回転軸１４を介して首振り自在に軸着されている。そしてその先端は、前記開口部１２の他端に当接してループ状本体１１を閉じるようになっている。
このように構成された装身具用連結具は、ネックレスやブレスレット、キーホルダなどに用いられるチェーンあるいは装飾体の連結環１５が連結されるようになっている。
【００１６】
前記閉止レバー１３は図３および図４に示すように、前記回転軸１４に取り付けたスプリング１６によりループ状本体１１を閉じる方向に付勢されており、かつ前記ループ状本体１１および閉止レバー１３の内周側の前記スプリング１６の露出は、ループ状本体１１および閉止レバー１３の内周側に形成した凹溝１７，１８内に埋没するよう収納することによって解消している。
【００１７】
この考案の装身具用連結具において、前記凹溝１７，１８はループ状本体１１および閉止レバー１３の鋳造時に同時に形成することができる。
【００１８】
次に、前記閉止レバー１３はループ状本体１１の前記開口部１２をループ状本体１１の長辺内に形成することにより、ループ状本体１１の前記開口部１２をループ状本体１１の長辺内に位置するようにしてある。このようにすれば、ループ状本体１１の両方の短辺側にそれぞれネックレスやブレスレット、キーホルダなどに用いられるチェーンあるいは装飾体の連結環１５を連結することができるので、装身具用連結具としての利用範囲を大幅に広げることができる。
【００１９】
この考案の装身具用連結具において前記スプリング１６は、ループ状本体１１または閉止レバー１３のいずれかに形成したコ字状の軸受部２１に、閉止レバー１３またはループ状本体１１の板状断面の回動部２２と並べてはめ込んで回転軸１４に取り付けることにより、その径を大きくしてスプリング１６の強度を高めることができるようになる。
すなわち、スプリング１６以外に回転軸１４に取り付ける必要のある部材を４枚から３枚に減らすことができ、その分スプリング１６の径を太くすることができるのである。
【００２０】
この考案の装身具用連結具の使用に際しては、図１の状態からループ状本体１１と閉止レバー１３とを指で挟んで、図２のように閉止レバー１３を内周側に押し込むことにより開口部１２を開放し、ネックレスやブレスレット、キーホルダなどに用いられるチェーンあるいは装飾体の連結環１５をループ状本体１１内にはめ込む。
【００２１】
すでに身に着けた装飾体等を取り外すときも、前述のようにして開口部１２を開放し、ネックレスやブレスレット、キーホルダなどに用いられるチェーンあるいは装飾体の連結環１５をループ状本体１１から抜き取ればよい。
【００２２】
またこの考案の装身具用連結具３１は、図５のように左右のチェーン類３２の間に連結環３３を介して連結され、かつ連結環３３を介して種々の装飾体をも連結可能となっている。したがって、チェーン類の取付環を一体的に設けたこの種の連結具に比べて、この考案の装身具用連結具３１は非常に装飾性が高く、かつ極めて応用範囲の広い装身具用連結具を提供することができる。
【産業上の利用可能性】
【００２３】
この考案は、以上説明したように構成されているので、ネックレスやブレスレット、キーホルダなどに用いられるチェーンあるいは装飾体の連結のみならず、この考案の趣旨を逸脱しない範囲で適宜の用途に使用することができる。
【符号の説明】
【００２４】
１１  ループ状本体
１２  開口部
１３  閉止レバー
１４  回転軸
１５  連結環
１６  スプリング
１７，１８  凹溝
２１  軸受部
２２  回動部
３１  装身具用連結具
３２  チェーン類
３３  連結環
【図１】
0003157759.tif 000003
【図２】
0003157759.tif 000004
【図３】
0003157759.tif 000005
【図４】
0003157759.tif 000006
【図５】
0003157759.tif 000007